(57)【特許請求の範囲】
【請求項１】
電力の供給を受けて動作する機能部、前記機能部の動作を制御する制御基板、前記機能部と前記制御基板とを電気的に接続する中継基板、および、振動源である振動発生装置が設けられ、電源を収容可能な本体部材と、
ブラシ毛が植えられた植毛部分を有し、前記本体部材に取り付けることおよび前記本体部材から取り外すことが可能な清掃部材と、
前記振動発生装置と前記制御基板とを電気的に接続する装置リード線と、
前記中継基板と前記制御基板とを電気的に接続する基板リード線とを備え、
前記中継基板および前記制御基板は前記本体部材の中心線に沿う方向である高さ方向と平行するように配置され、
前記制御基板と前記装置リード線との接続部分である第１接続部分および前記制御基板と前記基板リード線との接続部分である第２接続部分は前記制御基板の厚さ方向および前記高さ方向に直交する方向である幅方向に並べられ、
前記制御基板のうちの前記第１接続部分に対して前記第２接続部分が形成される側である接続側に対応する部分に前記中継基板と前記基板リード線との接続部分である第３接続部分が形成される
電動歯ブラシ。
【請求項２】
前記本体部材に設けられ、前記機能部、前記振動発生装置、および、前記中継基板が取り付けられる支持部材をさらに備える
請求項１に記載の電動歯ブラシ。
【請求項３】
前記機能部の接続端子を配置するための端子溝が前記支持部材に形成されている
請求項２に記載の電動歯ブラシ。
【請求項４】
前記本体部材に設けられ、前記装置リード線と前記基板リード線との間を隔てる隔離手段をさらに備える
請求項１〜３のいずれか一項に記載の電動歯ブラシ。
【請求項５】
前記機能部は光源を含む
請求項１〜４のいずれか一項に記載の電動歯ブラシ。
【発明の詳細な説明】
【技術分野】
【０００１】
本発明は、電源を収容可能な本体部材と、ブラシ毛が植えられた植毛部分を有し、本体部材に取り付けることおよび本体部材から取り外すことが可能な清掃部材とを備える電動歯ブラシに関する。
【背景技術】
【０００２】
上記電動歯ブラシとして、特許文献１に記載のものが知られている。
この文献の電動歯ブラシでは、機能部としての光源と制御基板とがリード線により互いに接続されている。
【先行技術文献】
【特許文献】
【０００３】
【特許文献１】特開２００３−４７５２８号公報（図３）
【発明の概要】
【発明が解決しようとする課題】
【０００４】
上記電動歯ブラシにおいては、本体部材内に収容することができるように光源および制御基板が比較的小さく構成されている。このため、本体部材内においての光源と制御基板との相対的な配置箇所が離れるにつれて、すなわち光源および制御基板を互いに接続するリード線の長さが長くなるにつれて、電動歯ブラシの組立作業が煩雑になるおそれがある。なお、このような問題は、機能部として光源を有する電動歯ブラシに限らず、機能部と制御基板とを電気的に接続する構成を含む電動歯ブラシであれば、上記電動歯ブラシと同様に生じるものとなる。
【０００５】
本発明の目的は組立作業が容易な電動歯ブラシを提供することである。
【課題を解決するための手段】
【０００６】
本発明に従う電動歯ブラシの一形態は、電力の供給を受けて動作する機能部、前記機能部の動作を制御する制御基板、前記機能部と前記制御基板とを電気的に接続する中継基板、および、振動源である振動発生装置が設けられ、電源を収容可能な本体部材と、ブラシ毛が植えられた植毛部分を有し、前記本体部材に取り付けることおよび前記本体部材から取り外すことが可能な清掃部材と、前記振動発生装置と前記制御基板とを電気的に接続する装置リード線と、前記中継基板と前記制御基板とを電気的に接続する基板リード線とを備え、前記中継基板および前記制御基板は前記本体部材の中心線に沿う方向である高さ方向と平行するように配置され、前記制御基板と前記装置リード線との接続部分である第１接続部分および前記制御基板と前記基板リード線との接続部分である第２接続部分は前記制御基板の厚さ方向および前記高さ方向に直交する方向である幅方向に並べられ、前記制御基板のうちの前記第１接続部分に対して前記第２接続部分が形成される側である接続側に対応する部分に前記中継基板と前記基板リード線との接続部分である第３接続部分が形成される。
【発明の効果】
【００１２】
上記電動歯ブラシは組立作業が容易である。
【図面の簡単な説明】
【００１３】
【図１】は実施形態の電動歯ブラシの図である（ａ：正面図、ｂ：側面図）。
【図２】は図１の歯ブラシ本体にキャップが装着された電動歯ブラシの図である（ａ：正面図、ｂ：側面図、ｃ：背面図）。
【図３】は図２のＡ−Ａ断面図である（ａ：全体図、ｂ：拡大図）。
【図４】はインナーケースの図である（ａ：斜視図、ｂ：一部の平面図）。
【図５】はインナーケースの図である（ａ：斜視図、ｂ：一部の平面図）。
【図６】は変形例のキャップの図である（ａ：正面図、ｂ：断面図）。
【図７】は参考例の電動歯ブラシの図である（ａ：側面図、ｂ：Ｂ−Ｂ断面図）。
【発明を実施するための形態】
【００１４】
（電動歯ブラシが取り得る形態の一例）
〔１〕本発明に従う電動歯ブラシの一形態は、電力の供給を受けて動作する機能部、前記機能部の動作を制御する制御基板、前記機能部と前記制御基板とを電気的に接続する中継基板、および、振動源である振動発生装置が設けられ、電源を収容可能な本体部材と、ブラシ毛が植えられた植毛部分を有し、前記本体部材に取り付けることおよび前記本体部材から取り外すことが可能な清掃部材と、前記振動発生装置と前記制御基板とを電気的に接続する装置リード線と、前記中継基板と前記制御基板とを電気的に接続する基板リード線とを備え、前記中継基板および前記制御基板は前記本体部材の中心線に沿う方向である高さ方向と平行するように配置され、前記制御基板と前記装置リード線との接続部分である第１接続部分および前記制御基板と前記基板リード線との接続部分である第２接続部分は前記制御基板の厚さ方向および前記高さ方向に直交する方向である幅方向に並べられ、前記制御基板のうちの前記第１接続部分に対して前記第２接続部分が形成される側である接続側に対応する部分に前記中継基板と前記基板リード線との接続部分である第３接続部分が形成される。
〔２〕前記電動歯ブラシの一例によれば、前記本体部材に設けられ、前記機能部、前記振動発生装置、および、前記中継基板が取り付けられる支持部材をさらに備える。
〔３〕前記電動歯ブラシの一例によれば、前記機能部の接続端子を配置するための端子溝が前記支持部材に形成されている。
〔４〕前記電動歯ブラシの一例によれば、前記本体部材に設けられ、前記装置リード線と前記基板リード線との間を隔てる隔離手段をさらに備える。
〔５〕前記電動歯ブラシの一例によれば、前記機能部は光源を含む。
【００１５】
（実施形態）
図１および図２を参照して、電動歯ブラシ１の全体の構成について説明する。
電動歯ブラシ１は、使用者が自身または他人の歯を清掃するときに使用する歯ブラシ本体１０と、使用者が歯ブラシ本体１０を保管するときに歯ブラシ本体１０に取り付けるキャップ９０とを有する。
図１（ａ）に示されるように、歯ブラシ本体１０は、電源としての電池１００（図３）等をはじめとして各種の部品が内蔵される本体装置２０と、歯を清掃するアタッチメント６０とを有する。
【００１６】
本体装置２０は、歯の清掃時に使用者により把持される把持ケース２１と、本体装置２０の各部品が取り付けられる本体ケース２２とを有する。なお、本体ケース２２は「本体部材」に相当する。
【００１７】
図１（ｂ）に示されるように、本体ケース２２は、アタッチメント６０を取り付けるための取付軸３２を有する。取付軸３２は、筒型の部分として形成されている。なお、アタッチメント６０は「清掃部材」に相当する。
【００１８】
アタッチメント６０は、取付軸３２に取り付けること、および取付軸３２から取り外すことができる。また、フィラメントにより形成された複数のブラシ毛６１と、複数のブラシ毛６１が植えられたブラシ柄７０とを有する。
【００１９】
ブラシ柄７０は、複数のブラシ毛６１が植えられた先端部分７１と、本体ケース２２の取付軸３２の周囲を覆う外壁部分７２とを有する。ブラシ柄７０を構成する材料としては、白色の樹脂材料が用いられている。なお、以下では先端部分７１とブラシ毛６１とにより構成される部分を植毛部分６２とする。
【００２０】
ここで、電動歯ブラシ１の方向として以下のものを定義する。
（Ａ）歯ブラシ本体１０の中心線（以下、「本体中心線Ｃ１」）に沿う方向を「高さ方向Ｙ」とし、歯ブラシ本体１０の正面視（図１（ａ））において高さ方向Ｙに直交する方向を「奥行方向Ｚ」とし、歯ブラシ本体１０の側面視（図１（ｂ））において高さ方向Ｙに直交する方向を「幅方向Ｘ」とする。
（Ｂ）高さ方向Ｙにおいて、把持ケース２１からアタッチメント６０に向かう方向を「上方」とし、高さ方向Ｙにおいて上方とは反対の方向を「下方」とする。
（Ｃ）奥行方向Ｚにおいて、ブラシ毛６１の根元部分から先端部分に向かう方向を「前方」とし、奥行方向Ｚにおいて前方とは反対の方向を「後方」とする。
（Ｄ）電動歯ブラシ１の任意の位置を基準として、高さ方向Ｙにおいて相対的に上方にある部分を「上側」とし、高さ方向Ｙにおいて相対的に下方にある部分を「下側」とする。
（Ｅ）電動歯ブラシ１の任意の位置を基準として、奥行方向Ｚにおいて相対的に前方にある部分を「前側」とし、奥行方向Ｚにおいて相対的に後方にある部分を「後側」とする。
（Ｆ）本体中心線Ｃ１およびブラシ毛６１の中心線と平行な断面（図３）を「側断面」とする。
【００２１】
図１（ｂ）に示されるように、本体装置２０は、歯ブラシ本体１０の動作を切り替えるための操作部材２６を有する。操作部材２６は、高さ方向Ｙにおいて取付軸３２よりも下側、かつ奥行方向Ｚにおいて本体中心線Ｃ１よりも後側に設けられている。
【００２２】
図１（ａ）に示されるように、外壁部分７２のうちの前側の部分には、開口部分７３が形成されている。外壁部分７２の幅方向Ｘの寸法は、高さ方向Ｙにおいて下方から上方に向かうにつれて小さくなる。開口部分７３の高さ方向Ｙの寸法は、開口部分７３の幅方向Ｘの寸法よりも大きい。開口部分７３の幅方向Ｘの寸法は、高さ方向Ｙにおいて下方から上方に向かうにつれて小さくなる。
【００２３】
開口部分７３には、透明な樹脂材料であるＡＢＳ樹脂により形成された透光部材８０が取り付けられている。透光部材８０の透過率は、ブラシ柄７０の樹脂材料の透過率よりも大きい。
【００２４】
図１（ｂ）に示されるように、外壁部分７２のうちの前方の部分には、高さ方向Ｙにおいて下方から上方に向かうにつれて本体中心線Ｃ１に近づくように傾斜する前側傾斜部分７２Ａが形成されている。外壁部分７２のうちの後方の部分には、高さ方向において下方から上方に向かうにつれて本体中心線Ｃ１に近づくように傾斜する後側傾斜部分７２Ｂが形成されている。前側傾斜部分７２Ａの傾斜度合は、後側傾斜部分７２Ｂの傾斜度合よりも大きい。透光部材８０は、前側傾斜部分７２Ａの一部を構成している。すなわち、透光部材８０の外面の形状は、前側傾斜部分７２Ａの外面の形状に対応して傾斜している。
【００２５】
図２を参照して、キャップ９０の詳細な構成について説明する。
キャップ９０は、図１のブラシ柄７０の周囲を覆う円筒状の周壁９１と、図１の植毛部分６２の上方の部分を覆う半球状の上壁９２とを有する。上壁９２は、動物の頭部を模した形状を有する意匠部分として構成されている。
【００２６】
図２（ａ）および（ｂ）に示されるように、上壁９２の上部には、半球状の２つの突起９３が形成されている。上壁９２のうちの前側の部分には、円形状の２つの換気孔９４、楕円形状の換気孔９５、および湾曲形状の換気孔９６が形成されている。換気孔９４〜９６は、奥行方向Ｚにおいてブラシ毛６１の先端面と対向している（図３参照）。
【００２７】
キャップ９０においては、正面からみたときに上壁９２に動物の顔が形成されていることが認識されるように、突起９３、２つの換気孔９４、換気孔９５、および換気孔９６のそれぞれの形状および形成位置が規定されている。
【００２８】
図２（ｃ）に示されるように、キャップ９０の後側の部分には、高さ方向Ｙにおいて整列した３つの換気孔９７が形成されている。上段の換気孔９７は、上壁９２の中間部分に形成されている。中段の換気孔９７は、上壁９２の下端部分に形成されている。下段の換気孔９７は、周壁９１の上端部分に形成されている。各換気孔９７は、楕円形状の孔として形成されている。各換気孔９７の幅方向Ｘの寸法は、各換気孔９７の高さ方向Ｙの寸法よりも大きい。
【００２９】
キャップ９０においては、背面からみたときに上壁９２に動物の後頭部が形成されていることが認識されるように、３つの換気孔９７および２つの突起９３のそれぞれの形状および形成位置が規定されている。
【００３０】
図３を参照して、歯ブラシ本体１０内の構成について説明する。
本体ケース２２は、複数の部品が取り付けられたインナーケース４０と、インナーケース４０の一部を覆うアウターケース３０とを有する。
【００３１】
本体ケース２２の内部には、スイッチ２３Ａおよびマイクロコンピュータ（以下、「マイコン２３Ｂ」）を有する制御基板２３と、電源としての電池１００と制御基板２３とを互いに接続する接続部材２５と、振動源としての振動発生装置５０とが設けられている。また、植毛部分６２に向けて光を照射する光源２７と、制御基板２３と光源２７とを互いに接続する中継基板２４と、光源２７を上方から覆うカバー２８とが設けられている。スイッチ２３Ａとしては、タクトスイッチが用いられている。光源２７としては、砲弾型の発光ダイオードが用いられている。カバー２８の材料としては、透明な樹脂材料であるＡＢＳ樹脂が用いられている。
【００３２】
スイッチ２３Ａは、操作部材２６が押し下げられることにともない押し下げられる。マイコン２３Ｂは、操作部材２６の押し下げ操作によりスイッチ２３Ａが押し下げられる毎に入力される信号に基づいて、歯ブラシ本体１０の動作を制御する。
【００３３】
光源２７は、光を照射する光源本体２７Ａと、光源本体２７Ａに電力を供給するための接続端子２７Ｂとを有する。
振動発生装置５０は、出力軸５２を有する電動モータ５１と、出力軸５２に固定された偏心鐘５３と、電動モータ５１の駆動により生じる振動を本体ケース２２に伝達する伝達部材５４と、電動モータ５１に電力を供給するモータリード線５５とを有する。偏心鐘５３の重心は、出力軸５２の回転中心に対して偏心している。伝達部材５４は、電動モータ５１に固定されている。伝達部材５４の外面は、アウターケース３０の後面３０Ｂに接触している。
【００３４】
光源２７および電動モータ５１と制御基板２３との電気的な接続について説明する。
光源２７と制御基板２３とは中継基板２４を介して電気的に接続されている。すなわち、光源２７と中継基板２４とが接続端子２７Ｂにより互いに接続されている。また、中継基板２４と制御基板２３とが基板リード線２９により互いに接続されている。また、電動モータ５１と制御基板２３とが図５のモータリード線５５により互いに接続されている。
【００３５】
アウターケース３０は、操作部材２６が取り付けられた筒状のケース本体３１と、ケース本体３１の上部に連続して形成された取付軸３２とを有する。取付軸３２は、ケース本体３１と一体的に形成されている。ケース本体３１のうちの下方の外面には、装飾部材３３が取り付けられている。
【００３６】
図３（ｂ）に示されるように、取付軸３２には、側断面においての奥行方向Ｚの寸法が互いに異なる３つの部分、すなわち先端軸３２Ａ、中間軸３２Ｂ、および基端軸３２Ｃが形成されている。各軸３２Ａ〜３２Ｃは、高さ方向Ｙにおいて上方から下方に向けて先端軸３２Ａ、中間軸３２Ｂ、および基端軸３２Ｃの順に形成されている。先端軸３２Ａの奥行方向Ｚの寸法は、中間軸３２Ｂの奥行方向Ｚの寸法よりも小さい。中間軸３２Ｂの奥行方向Ｚの寸法は、基端軸３２Ｃの奥行方向Ｚの寸法よりも小さい。
【００３７】
先端軸３２Ａの上端部分には、開口部分３２Ｄが形成されている。カバー２８は、開口部分３２Ｄに圧入されている。カバー２８の上面は、奥行方向Ｚおよび幅方向Ｘに沿う平面として形成されている。カバー２８の下面には、下方から上方に向けて半球状に凹む湾曲部分２８Ａが形成されている。
【００３８】
図３（ａ）に示されるように、インナーケース４０は、各部品を取り付けるための５つの取付部分、すなわち第１取付部分４１、第２取付部分４２、第３取付部分４３、第４取付部分４４、および第５取付部分４５を有する。各取付部分４１〜４５は、高さ方向Ｙにおいて下方から上方に向けて第１取付部分４１、第２取付部分４２、第３取付部分４３、第４取付部分４４、および第５取付部分４５の順に形成されている。
【００３９】
第１取付部分４１は、電池１００を取り付けるための部分として形成されている。第２取付部分４２は、制御基板２３を取り付けるための部分として形成されている。第３取付部分４３は、中継基板２４を取り付けるための部分として形成されている。第４取付部分４４は、振動発生装置５０を取り付けるための部分として形成されている。第５取付部分４５は、光源２７を取り付けるための部分として、かつ中実の四角柱形状の部分として形成されている。
【００４０】
図３（ｂ）に示されるように、取付軸３２の内部には、インナーケース４０の第３取付部分４３、第４取付部分４４、および第５取付部分４５が収容されている。すなわち、取付軸３２の内部には、中継基板２４、振動発生装置５０、および光源２７が収容されている。
【００４１】
図３（ａ）を参照して、歯ブラシ本体１０内の各部品の位置関係について説明する。なお、側断面においてブラシ柄７０の外面のうちの前方の面を「前面７０Ｃ」とし、ブラシ柄７０の外面のうちの後方の面を「後面７０Ｄ」とする。また、ブラシ柄７０の先端部分７１の前面７０Ｃを「植毛面７１Ａ」とし、同先端部分７１の後面７０Ｄを「頭背面７１Ｂ」とする。
（Ａ）制御基板２３は、高さ方向Ｙにおいて電池１００よりも上側に設けられている。
（Ｂ）中継基板２４は、高さ方向Ｙにおいて制御基板２３よりも上側に設けられている。
（Ｃ）振動発生装置５０は、高さ方向Ｙにおいて中継基板２４の一部と重なり合う位置に設けられている。
（Ｄ）光源２７は、高さ方向Ｙにおいて中継基板２４および振動発生装置５０よりも上側に設けられている。
（Ｅ）光源２７は、奥行方向Ｚにおいて植毛面７１Ａよりも後側かつ頭背面７１Ｂよりも前側に設けられている。
（Ｆ）光源２７の頂部は、高さ方向Ｙにおいてカバー２８の底面に対応する位置に設けられている。
（Ｇ）透光部材８０は、高さ方向Ｙにおいて光源２７よりも上側かつ植毛部分６２よりも下側に設けられている。
（Ｈ）透光部材８０の下端部分は、高さ方向Ｙにおいて取付軸３２の上端部分の付近に設けられている。
【００４２】
図３（ｂ）を参照して、ブラシ柄７０の詳細な形状について説明する。
側断面においてブラシ柄７０の各部分を以下のように定義する。
（Ａ）長手方向のブラシ毛６１側の端部を「先端７０Ａ」とする。
（Ｂ）長手方向の本体装置２０側の端部を「基端７０Ｂ」とする。
（Ｃ）先端７０Ａから基端７０Ｂまでの前面７０Ｃに沿う長さを「前面長さＶ」とする。
（Ｄ）先端７０Ａから基端７０Ｂまでの後面７０Ｄに沿う長さを「後面長さＷ」とする。
（Ｅ）前側傾斜部分７２Ａのうちの外壁部分７２と先端部分７１との境界と光源２７の上部との間に対応する部分を「前上傾斜部分７２ＡＵ」とする。
（Ｆ）前側傾斜部分７２Ａのうちの振動発生装置５０および光源２７に対応する部分を「前下傾斜部分７２ＡＬ」とする。
（Ｇ）後側傾斜部分７２Ｂのうちの外壁部分７２と先端部分７１との境界と光源２７の上部との間に対応する部分を「後上傾斜部分７２ＢＵ」とする。
（Ｈ）後側傾斜部分７２Ｂのうちの振動発生装置５０および光源２７に対応する部分を「後下傾斜部分７２ＢＬ」とする。
【００４３】
植毛面７１Ａは、奥行方向Ｚにおいて本体中心線Ｃ１よりも前側かつ前側傾斜部分７２Ａよりも後側に形成されている。頭背面７１Ｂは、奥行方向Ｚにおいて本体中心線Ｃ１よりも後側かつ後側傾斜部分７２Ｂよりも前側に形成されている。後壁長さＷは、前壁長さＶよりも小さい。
【００４４】
前側傾斜部分７２Ａは、本体中心線Ｃ１よりも前側に形成されている。また、高さ方向Ｙにおいて下方から上方に向かうにつれて奥行方向Ｚにおいて前側から後側に傾斜している。また、外壁部分７２と前上傾斜部分７２ＡＵとの間の部分の傾斜度合は、前下傾斜部分７２ＡＬの傾斜度合よりも大きい。
【００４５】
後側傾斜部分７２Ｂは、本体中心線Ｃ１よりも後側に形成されている。また、高さ方向Ｙにおいて下方から上方に向かうにつれて奥行方向Ｚにおいて後側から前側に傾斜している。また、後上傾斜部分７２ＢＵの傾斜度合は、後下傾斜部分７２ＢＬの傾斜度合よりも大きい。
【００４６】
前側傾斜部分７２Ａの前上傾斜部分７２ＡＵの傾斜度合は、後側傾斜部分７２Ｂの後上傾斜部分７２ＢＵの傾斜度合よりも大きい。前側傾斜部分７２Ａの前下傾斜部分７２ＡＬの傾斜度合は、後側傾斜部分７２Ｂの後上傾斜部分７２ＢＵの傾斜度合よりも小さい。
【００４７】
図３を参照して、本体装置２０の詳細な構成について説明する。
側断面において、本体装置２０の各部分を以下のように定義する。
（Ａ）本体ケース２２の外面のうちの前方の面を「前面２２Ａ」とする。
（Ｂ）本体ケース２２の外面のうちの後方の面を「後面２２Ｂ」とする。
（Ｃ）アウターケース３０の外面のうちの前方の面を「前面３０Ａ」とする。
（Ｄ）アウターケース３０の外面のうちの後方の面を「後面３０Ｂ」とする。
（Ｅ）インナーケース４０の外面のうちの前方の面を「前面４０Ａ」とする。
（Ｆ）インナーケース４０の外面のうちの後方の面を「後面４０Ｂ」とする。
（Ｇ）把持ケース２１と対向する前面２２Ａの部分の長さを「前壁長さＰ」とする。
（Ｈ）把持ケース２１と対向する後面２２Ｂの部分の長さを「後壁長さＱ」とする。
【００４８】
図３（ａ）に示されるように、前面２２Ａは、前面３０Ａおよび前面４０Ａにより構成されている。後面２２Ｂは、後面３０Ｂおよび後面４０Ｂにより構成されている。後壁長さＱは、前壁長さＰよりも小さい。なお、前壁長さＰおよび後壁長さＱは、前面２２Ａおよび後面２２Ｂのそれぞれにおいて把持ケース２１の内面と直接的に対向する部分の長さを示す。
【００４９】
図３（ｂ）に示されるように、アウターケース３０の前面３０Ａは、インナーケース４０の前面４０Ａよりも前側に設けられている。ブラシ柄７０の前面７０Ｃは、前面３０Ａよりも前側に設けられている。ケース本体３１と取付軸３２との接続部分には、段差部分３４が形成されている。ブラシ柄７０の下端面は、段差部分３４の上面と対向している。
【００５０】
図３（ａ）を参照して、歯ブラシ本体１０のシール構造について説明する。
把持ケース２１および本体ケース２２の取付部分には、把持ケース２１と本体ケース２２との間をシールする把持側シール部材２２Ｃが設けられている。把持側シール部材２２Ｃは、インナーケース４０に取り付けられている。また、高さ方向Ｙにおいて第１取付部分４１よりも上側かつ把持ケース２１の上端面よりも下側に取り付けられている。
【００５１】
アウターケース３０およびインナーケース４０の取付部分には、アウターケース３０とインナーケース４０との間をシールする本体側シール部材２２Ｄが設けられている。本体側シール部材２２Ｄは、インナーケース４０に取り付けられている。また、高さ方向Ｙにおいて把持ケース２１の上端面よりも上側かつ第２取付部分４２よりも下側に取り付けられている。
【００５２】
図３を参照して、光源２７の動作について説明する。
マイコン２３Ｂの制御により光源２７に電圧が加えられているとき、光源２７から光が照射される。光源２７から照射された光は、カバー２８を介してブラシ柄７０の内部を照らす。また、透光部材８０を介して植毛部分６２の部分およびその付近を照らす。
【００５３】
図４を参照して、制御基板２３およびその周辺の構成について説明する。
図４（ａ）に示されるように、制御基板２３は、各部品との電気的な接続を得るための３種類の接続部分、すなわち２つのモータ接続部分２３Ｃ、２つの基板接続部分２３Ｄ、および２つの電池接続部分２３Ｅを有する。
【００５４】
モータ接続部分２３Ｃは、制御基板２３と電動モータ５１とを電気的に接続するため部分として設けられている。モータ接続部分２３Ｃには、モータリード線５５が半田付けされている。
【００５５】
基板接続部分２３Ｄは、制御基板２３と図３の中継基板２４とを電気的に接続するための部分として設けられている。基板接続部分２３Ｄには、図５の各基板リード線２９が半田付けされている。
【００５６】
電池接続部分２３Ｅは、制御基板２３と図３の電池１００とを電気的に接続するための部分として設けられている。電池接続部分２３Ｅには、接続部材２５が半田付けされている。
【００５７】
２つのモータ接続部分２３Ｃは、高さ方向Ｙにおいて同じ位置に形成されている。２つの基板接続部分２３Ｄは、高さ方向Ｙにおいて同じ位置に形成されている。各モータ接続部分２３Ｃおよび各基板接続部分２３Ｄは、高さ方向Ｙにおいて同じ位置に形成されている。
【００５８】
図４（ｂ）に示されるように、第２取付部分４２は、制御基板２３（二点鎖線）が搭載される搭載部分４２Ａと、制御基板２３の上端部分に引っ掛けられる上側保持部分４２Ｂと、制御基板２３の下端部分に引っ掛けられる下側保持部分４２Ｃとを有する。
【００５９】
制御基板２３の上端部分は、搭載部分４２Ａと上側保持部分４２Ｂとにより挟み込まれている。制御基板２３の下端部分は、搭載部分４２Ａと下側保持部分４２Ｃとにより挟み込まれている。これにより、第２取付部分４２に対する奥行方向Ｚへの制御基板２３の移動が規制されている。
【００６０】
図３および図５を参照して、中継基板２４の構成について説明する。
図５（ａ）に示されるように、中継基板２４は、光源２７の接続端子２７Ｂが接続される２つの光源接続部分２４Ａと、基板リード線２９が接続される２つのリード線接続部分２４Ｂとを有する。また、インナーケース４０の保持部分４４Ｂが挿入される長孔形状の第１貫通孔２４Ｃと、インナーケース４０の上側突出部分４４Ｃが挿入される四角形状の第２貫通孔２４Ｄとを有する。またこの他に、対応する光源接続部分２４Ａとリード線接続部分２４Ｂとを互いに接続する回路パターン（図示略）を有する。
【００６１】
光源接続部分２４Ａは、中継基板２４の幅方向Ｘの端部から幅方向Ｘの中間部分に向けて凹む切欠形状を有する。光源接続部分２４Ａには、光源２７の接続端子２７Ｂが半田付けされている。リード線接続部分２４Ｂには、基板リード線２９が半田付けされている。
【００６２】
図３に示されるように、第４取付部分４４の保持部分４４Ｂ、上側突出部分４４Ｃ、および下側突出部分４４Ｄは、それぞれアウターケース３０の内面と接触している。これにより、アウターケース３０に対する奥行方向Ｚの前方への第４取付部分４４の移動が規制されている。
【００６３】
図３を参照して、半田部分と第４取付部分４４との関係について説明する。なお、以下では、光源接続部分２４Ａと接続端子２７Ｂとが半田付けされた部分を「半田部分ＨＰＡ」とし、リード線接続部分２４Ｂと基板リード線２９とが半田付けされた部分を「半田部分ＨＰＢ」とする。
【００６４】
半田部分ＨＰＡの頂部および半田部分ＨＰＢの頂部は、奥行方向Ｚにおいて保持部分４４Ｂ、下側突出部分４４Ｄ、および上側突出部分４４Ｃよりも後側に位置している。すなわち、半田部分ＨＰＡの頂部および半田部分ＨＰＢとアウターケース３０の内面との間には空間が形成されている。
【００６５】
図５を参照して、インナーケース４０と中継基板２４との関係について説明する。
図５（ｂ）に示されるように、インナーケース４０の第４取付部分４４は、中継基板２４（二点鎖線）を支持する搭載部分４４Ａと、中継基板２４を保持するフック形状の保持部分４４Ｂとを有する。また、中継基板２４の高さ方向Ｙおよび幅方向Ｘの位置を決める下側突出部分４４Ｄと、中継基板２４の上方への移動を規制する上側突出部分４４Ｃとを有する。
【００６６】
搭載部分４４Ａは、中継基板２４の背面を支持している。保持部分４４Ｂは、中継基板２４の第１貫通孔２４Ｃを介して中継基板２４の外面に引っ掛けられている。これにより、第４取付部分４４に対する幅方向Ｘ、高さ方向Ｙ、および奥行方向Ｚへの中継基板２４の移動が規制されている。
【００６７】
インナーケース４０において、第４取付部分４４と第５取付部分４５との間の部分（以下、「中間部分４９」）には、光源２７の接続端子２７Ｂを配置するための２つの端子溝４７が形成されている。端子溝４７は、インナーケース４０の長手方向（高さ方向Ｙ）に沿うように形成されている。端子溝４７の高さ方向Ｙの寸法すなわち端子溝４７の深さは、接続端子２７Ｂの最大径よりも大きい。
【００６８】
接続端子２７Ｂは、端子溝４７内に配置されている。また、奥行方向Ｚにおいて中間部分４９の外面よりも後方に配置されている。すなわち、奥行方向Ｚにおいては、接続端子２７Ｂの全体が端子溝４７内に配置されている。
【００６９】
図５を参照して、各リード線２９，５５の配線態様について説明する。
図５（ａ）に示されるように、インナーケース４０において、第４取付部分４４の下側には、各リード線２９，５５を配線するための配線部分４８が形成されている。配線部分４８は、アウターケース３０との間に各リード線２９，５５を配線するための空間を形成する案内壁４８Ｆ（図３）と、第４取付部分４４と案内壁４８Ｆとを互いに接続する接続壁４８Ｃと、各リード線２９，５５の幅方向Ｘへの移動を規制する右壁４８Ｄおよび左壁４８Ｅとを有する。なお、配線部分４８は「隔離手段」に相当する。
【００７０】
配線部分４８には、モータリード線５５を配線するための第１配線部分４８Ａと、基板リード線２９を配線するための第２配線部分４８Ｂとが形成されている。第１配線部分４８Ａは、案内壁４８Ｆと接続壁４８Ｃと右壁４８Ｄとに囲まれた空間として形成されている。第２配線部分４８Ｂは、案内壁４８Ｆと接続壁４８Ｃと左壁４８Ｅとに囲まれた空間として形成されている。
【００７１】
案内壁４８Ｆは、アウターケース３０の内面と対向する外面として、高さ方向Ｙに対する傾斜度合が互いに異なる３種類の面、すなわち上部傾斜面４８Ｇ、中間平面４８Ｈ、および下部傾斜面４８Ｉを有する。上部傾斜面４８Ｇは、高さ方向Ｙにおいて上方から下方に向かうにつれて奥行方向Ｚにおいて後方から前方に向けて傾斜している。中間平面４８Ｈは、高さ方向Ｙに平行している。下部傾斜面４８Ｉは、高さ方向Ｙにおいて上方から下方に向かうにつれて奥行方向Ｚにおいて後方から前方に向けて傾斜している。
【００７２】
図３に示されるように、下部傾斜面４８Ｉは上部傾斜面４８Ｇよりも奥行方向Ｚの前方に形成されている。このため、案内壁４８Ｆの外面とアウターケース３０の内面との間隔は、高さ方向Ｙの上方よりも下方において狭い。
【００７３】
図４および図５を参照して、第１配線部分４８Ａの詳細な構成について説明する。
図４（ａ）に示されるように、第１配線部分４８Ａは、奥行方向Ｚにおいてモータ接続部分２３Ｃの前方に設けられている。図４（ｂ）に示されるように、第１配線部分４８Ａは、高さ方向Ｙにおいて制御基板２３のモータ接続部分２３Ｃと同じ位置に設けられている。
【００７４】
図５（ａ）に示されるように、モータリード線５５は、折り曲げられた部分（以下、「折曲部分５５Ａ」）が形成された状態で第１配線部分４８Ａを通過して配線されている。折曲部分５５Ａの一部分は、奥行方向Ｚにおいて第１配線部分４８Ａから前方に飛び出ている。折曲部分５５Ａの同一部分は、上部傾斜面４８Ｇおよび中間平面４８Ｈに沿うように配線されている。
【００７５】
図４および図５を参照して、第２配線部分４８Ｂの詳細な構成について説明する。
図４（ａ）に示されるように、第２配線部分４８Ｂは、奥行方向Ｚにおいてモータ接続部分２３Ｃの前方に設けられている。図４（ｂ）に示されるように、第２配線部分４８Ｂは、高さ方向Ｙにおいて制御基板２３のモータ接続部分２３Ｃと同じ位置に設けられている。図５（ｂ）に示されるように、中継基板２４のリード線接続部分２４Ｂは、幅方向Ｘにおいて第２配線部分４８Ｂに対応する位置に形成されている。
【００７６】
図５（ａ）に示されるように、基板リード線２９は、折り曲げられた部分（以下、「折曲部分２９Ａ」）が形成された状態で第２配線部分４８Ｂを通過して配線されている。折曲部分２９Ａの一部分は、奥行方向Ｚにおいて第１配線部分４８Ａから前方に飛び出ている。折曲部分２９Ａの同一部分は、上部傾斜面４８Ｇおよび中間平面４８Ｈに沿うように配線されている。
【００７７】
図１および図３を参照して、歯ブラシ本体１０の制御について説明する。
マイコン２３Ｂは、操作部材２６の操作に応じて歯ブラシ本体１０の動作を制御するモード制御と、電動モータ５１の回転速度を調整する回転速度制御と、歯ブラシ本体１０の動作時間を管理するタイマ制御とを行なう。
【００７８】
モード制御では、操作部材２６の操作に応じて歯ブラシ本体１０の動作モードを切り替える。歯ブラシ本体１０の動作モードとしては、第１動作モードおよび第２動作モードが予め用意されている。第１動作モードは、光源２７を点灯し、かつ電動モータ５１を駆動する。第２動作モードは、光源２７を消灯し、かつ電動モータ５１を駆動する。
【００７９】
マイコン２３Ｂは、次のように動作モードの切り替えを行なう。
（Ａ）電源がオフの状態において操作部材２６を押し下げる操作が１回行なわれたとき、電源がオフの状態から第１動作モードを選択した状態に変更する。
（Ｂ）第１動作モードを選択した状態において操作部材２６を押し下げる操作が１回行なわれたとき、動作モードを第１動作モードから第２動作モードに変更する。
（Ｃ）第２動作モードを選択した状態において操作部材２６を押し下げる操作が１回行なわれたとき、第２動作モードを選択した状態から電源がオフの状態に変更する。
【００８０】
マイコン２３Ｂは、第１動作モードまたは第２動作モードを選択しているときに回転速度制御を行なう。回転速度制御では、電動モータ５１の駆動電圧をＰＷＭ制御により変更することにより、電動モータ５１の回転速度を所定範囲内に維持する。すなわち、電動モータ５１の回転により生じる振動の大きさを所定範囲内に維持する。
【００８１】
回転速度制御では、次のように電動モータ５１の電圧のデューティー比を変更する。
（Ａ）電池１００の電圧の測定値が基準電圧よりも高いとき、電動モータ５１の駆動電圧と基準電圧との差に応じてデューティー比を小さくする。
（Ｂ）電池１００の電圧の測定値が基準電圧よりも低いとき、電動モータ５１の駆動電圧と基準電圧との差に応じてデューティー比を大きくする。
（Ｃ）電池１００の電圧の測定値が基準電圧と等しいとき、デューティー比を維持する。
【００８２】
基準電圧は、電動モータ５１の回転により所定範囲の大きさの振動が発生するときの駆動電圧として予め設定されている。なお、ここでは１つの設定値として基準電圧が設定されているが、上記所定範囲の大きさの振動が発生する電圧の範囲として基準電圧を設定することもできる。
【００８３】
タイマ制御では、第１動作モードまたは第２動作モードが連続して選択されている時間に応じて電源を強制的にオフする。すなわち、操作部材２６の操作が行なわれなくとも所定条件の成立に基づいて歯ブラシ本体１０の動作を停止させる。
【００８４】
具体的には、以下のように動作モードを変更する。
（Ａ）電源がオフの状態から第１動作モードを選択した状態に変更したとき、第１動作モードを選択してからの経過時間（以下、「第１動作時間ＴＡ」）のカウントを開始する。そして、第１動作時間ＴＡが判定時間ＴＡＸ以上のとき、電源をオフにする。
（Ｂ）第１動作モードから第２動作モードに変更したとき、動作モードを変更してからの経過時間（以下、「第２動作時間ＴＢ」）のカウントを開始する。そして、第２動作時間ＴＢが判定時間ＴＢＸ以上のとき、電源をオフにする。
【００８５】
判定時間ＴＡＸは、第１動作モードにより継続して歯に振動を付与することが好ましい範囲内の時間として予め設定されている。また、判定時間ＴＢＸは、第２動作モードにより継続して歯に振動を付与することが好ましい範囲内の時間として予め設定されている。なお、判定時間ＴＡＸおよび判定時間ＴＢＸとしては、同じ値または互いに異なる値を設定することができる。
【００８６】
（実施形態の効果）
本実施形態の電動歯ブラシ１によれば以下の効果が得られる。
（１）電動歯ブラシ１においては、光源２７と制御基板２３とを電気的に接続するための中継基板２４が設けられている。また、光源２７が中継基板２４に直接的に接続されている。この構成によれば、光源２７および制御基板２３を接続するためのリード線が不要となるため、中継基板２４が設けられていない構成と比較して、本体ケース２２への各部品の組み付け作業が容易となる。
【００８７】
（２）電動歯ブラシ１においては、振動発生装置５０が取り付けられる第３取付部分４３と、中継基板２４が取り付けられる第４取付部分４４、および光源２７が取り付けられる第５取付部分４５とが一体的に形成されている。この構成によれば、振動発生装置５０の振動にともない光源２７および中継基板２４が実質的に同じ位相で振動する。このため、振動発生装置５０の振動に起因して、光源２７と中継基板２４との接続部分に大きな応力が生じることが抑制される。
【００８８】
（３）電動歯ブラシ１においては、インナーケース４０の中間部分４９に端子溝４７が形成されている。また、接続端子２７Ｂが端子溝４７内に配置されている。この構成によれば、中間部分４９に端子溝４７が形成されていない構成、すなわち接続端子２７Ｂの全体が中間部分４９の外面上に配置される構成と比較して、中間部分４９の外面からの接続端子２７Ｂの突出量が小さくなる。
【００８９】
（４）電動歯ブラシ１においては、中継基板２４および制御基板２３が互いに平行している。また、中継基板２４のリード線接続部分２４Ｂと制御基板２３の基板接続部分２３Ｄとが幅方向Ｘにおいて互いに対応する位置に設けられている。この構成によれば、基板リード線２９の長さが短くなる。
【００９０】
（５）電動歯ブラシ１においては、モータリード線５５が第１配線部分４８Ａを介して配線されている。また、基板リード線２９が第２配線部分４８Ｂを介して配線されている。この構成によれば、モータリード線５５および基板リード線２９が互いに交差することが抑制される。
【００９１】
（６）電動歯ブラシ１においては、上部傾斜面４８Ｇ、接続壁４８Ｃ、および右壁４８Ｄに囲まれて第１配線部分４８Ａが形成されている。この構成によれば、幅方向Ｘにおいてモータリード線５５が第１配線部分４８Ａの外部に移動することが右壁４８Ｄにより妨げられる。このため、アウターケース３０とインナーケース４０とを組み付けるとき、モータリード線５５がアウターケース３０とインナーケース４０との間に噛み込むことが抑制される。
【００９２】
（７）電動歯ブラシ１においては、上部傾斜面４８Ｇ、接続壁４８Ｃ、および左壁４８Ｅに囲まれて第２配線部分４８Ｂが形成されている。この構成によれば、幅方向Ｘにおいて基板リード線２９が第２配線部分４８Ｂの外部に移動することが左壁４８Ｅにより妨げられる。このため、アウターケース３０とインナーケース４０とを組み付けるとき、基板リード線２９がアウターケース３０とインナーケース４０との間に噛み込むことが抑制される。
【００９３】
（８）電動歯ブラシ１においては、側断面において上部傾斜面４８Ｇと中間平面４８Ｈとにより形成される角部分の角度が鈍角に設定されている。また、モータリード線５５のうち奥行方向Ｚにおいて第１配線部分４８Ａから突出した部分、および基板リード線２９のうち奥行方向Ｚにおいて第２配線部分４８Ｂから突出した部分がそれぞれ上部傾斜面４８Ｇ上に配置されている。この構成によれば、モータリード線５５および基板リード線２９の上記突出した部分に対して直角の角部分が接触する構成と比較して、モータリード線５５および基板リード線２９の被覆部分が損傷するおそれが小さくなる。
【００９４】
（９）電動歯ブラシ１においては、上側突出部分４４Ｃおよび下側突出部分４４Ｄが半田部分ＨＰＡおよび半田部分ＨＰＢよりも前側に突出している。また、上側突出部分４４Ｃおよび下側突出部分４４Ｄがアウターケース３０の内面に接触している。この構成によれば、半田部分ＨＰＡおよび半田部分ＨＰＢがアウターケース３０の内面に接触することが抑制される。
【００９５】
（１０）電動歯ブラシ１においては、取付軸３２に光源２７が設けられている。この構成によれば、本体装置２０においての光源２７の位置が植毛部分６２に近くなるため、植毛部分６２をより明るくすることができる。
【００９６】
（１１）電動歯ブラシ１においては、光源２７が植毛部分６２に向けて光を照射する。この構成によれば、上記（１０）の効果がより高められる。
（１２）電動歯ブラシ１においては、ブラシ柄７０の前面７０Ｃに透光部材８０が設けられている。この構成によれば、上記（１０）の効果がより高められる。
【００９７】
（１３）電動歯ブラシ１においては、ブラシ柄７０の前側傾斜部分７２Ａの前上傾斜部分７２ＡＵに透光部材８０が取り付けられている。この構成によれば、ブラシ柄７０の別の部分、例えば前側傾斜部分７２Ａの前下傾斜部分７２ＡＬ、またはブラシ柄７０の側壁に透光部材８０が取り付けられる構成と比較して、上記（１０）の効果がより高くなる。
【００９８】
（１４）電動歯ブラシ１においては、取付軸３２の内部に振動発生装置５０が収容されている。この構成によれば、取付軸３２よりも下側に振動発生装置５０が設けられる構成と比較して、歯ブラシ本体１０の高さ方向Ｙの寸法を小さくすることができる。
【００９９】
（１５）電動歯ブラシ１においては、ブラシ柄７０の植毛面７１Ａが本体中心線Ｃ１よりも前側に位置している。この構成によれば、植毛面７１Ａが本体中心線Ｃ１よりも後側に位置する構成と比較して、歯の清掃時に外壁部分７２の前面７０Ｃが歯に接触しにくくなる。また、植毛面７１Ａが本体中心線Ｃ１よりも後側に位置する構成と比較して、取付軸３２の奥行方向Ｚの寸法を大きくすることができる。このため、取付軸３２の内部に大きな空間を形成することにより、振動発生装置５０および光源２７等の部品を配置するためのスペースを大きくすることができる。
【０１００】
（１６）電動歯ブラシ１においては、キャップ９０の換気孔９４〜９６がブラシ毛６１の先端面と対向している。この構成によれば、換気孔９４〜９６を介してキャップ９０の外部からキャップ９０の内部に流入する空気がブラシ毛６１に触れやすくなるため、キャップ９０が歯ブラシ本体１０に取り付けられていることによりブラシ毛６１が乾きにくくなることが抑制される。
【０１０１】
（１７）電動歯ブラシ１においては、側断面において本体中心線Ｃ１に対してブラシ毛６１とは反対側に操作部材２６が設けられている。この構成によれば、電動歯ブラシ１の使用者が同歯ブラシ１により他人の歯を清掃するとき、操作部材２６が使用者側に位置する。このため、側断面において本体中心線Ｃ１に対してブラシ毛６１と同じ側に操作部材２６が設けられる構成と比較して、操作部材２６の操作が容易になる。
【０１０２】
（１８）電動歯ブラシ１においては、取付軸３２の開口部分３２Ｄにカバー２８が圧入されている。この構成によれば、カバー２８と開口部分３２Ｄとの隙間を介して水および埃が取付軸３２の内部に侵入することが抑制される。
【０１０３】
（１９）電動歯ブラシ１の歯ブラシ本体１０は、動作モードとして第１動作モードおよび第２動作モードを有する。この構成によれば、使用者は光源２７の点灯を必要としないときに第２動作モードを選択することができる。これにより、歯ブラシ本体１０の消費電力を少なくすることができる。
【０１０４】
（２０）電動歯ブラシ１のマイコン２３Ｂは、電動モータ５１の回転速度を制御する回転速度制御を行なう。この構成によれば、第１動作モードまたは第２動作モードが選択されているとき、使用者が受ける歯磨きの感覚を安定させることができる。
【０１０５】
（２１）電動歯ブラシ１のマイコン２３Ｂは、電源を強制的にオフするタイマ制御を行なう。この構成によれば、長時間にわたり電動モータ５１の振動が歯に付与されることが抑制される。また、使用者が歯の清掃後に歯ブラシ本体１０の電源をオンからオフに変更することを忘れた場合、マイコン２３Ｂにより電源がオフされる。このため、歯ブラシ本体１０の電力が不要に消費されることが抑制される。
【０１０６】
（２２）電動歯ブラシ１においては、ブラシ柄７０の後壁長さＷが前壁長さＶよりも小さい。この構成によれば、振動発生装置５０の振動がブラシ柄７０の後面７０Ｄに伝達されやすくなる。
【０１０７】
（２３）電動歯ブラシ１においては、振動発生装置５０の伝達部材５４がアウターケース３０の壁部に接触している。この構成によれば、振動発生装置５０の振動がブラシ柄７０の後側傾斜部分７２Ｂに伝達されやすくなる。
【０１０８】
（２４）電動歯ブラシ１においては、電動モータ５１の回転軸が把持ケース２１の中心線に対して後側に偏倚しているため、電動モータ５１の回転にともなう振動が把持ケース２１のうちの後側の壁部に伝達されやすい。一方、本体ケース２２の後壁長さＱが前壁長さＰよりも小さい。このため、後壁長さＱが前壁長さＰよりも大きい構成と比較して、把持ケース２１の後側の壁部には振動が伝達されにくい。すなわち、把持ケース２１から使用者の手に付与される振動が小さい。
【０１０９】
このように、電動歯ブラシ１によれば、電動モータ５１の回転軸を把持ケース２１の中心線に対して後側に偏倚させる構成を採用したうえで、歯ブラシ本体１０の使用時に使用者の手に伝達される振動を低減することができる。
【０１１０】
（２５）比較例としての電動歯ブラシ（以下、「第１の比較歯ブラシ」）との対比に基づいて、電動歯ブラシ１により得られる効果について説明する。第１の比較歯ブラシは、以下の各点において電動歯ブラシ１と相違し、その他の点については電動歯ブラシ１と同じ構成を有する。
（Ａ）取付軸３２から光源２７が省略されている。
（Ｂ）取付軸３２の体格が電動歯ブラシ１よりも小さい。
（Ｃ）ブラシ柄７０の前側傾斜部分７２Ａの傾斜度合が電動歯ブラシ１よりも大きい。
（Ｄ）ブラシ柄７０の後側傾斜部分７２Ｂの傾斜度合が電動歯ブラシ１よりも小さい。
（Ｅ）植毛部分６２が電動歯ブラシ１よりも奥行方向Ｚの後方に位置している。すなわち、植毛面７１Ａが電動歯ブラシ１よりも奥行方向Ｚの後方に位置している。
【０１１１】
第１の比較歯ブラシにおいては、光源２７が省略されているため、取付軸３２内に光源２７を配置するためのスペースを確保する必要がない。このため、取付軸３２の体格が電動歯ブラシ１よりも小さい。また、取付軸３２の体格が小さいことにともない、ブラシ柄７０内において取付軸３２を配置するためのスペースが小さくなる。また、ブラシ柄７０内の同スペースが小さいことにより、前側傾斜部分７２Ａにおいて取付軸３２に対応する部分が本体中心線Ｃ１に対してより近い位置に形成される。これにより、奥行方向Ｚにおいて取付軸３２に対応する部分の前側傾斜部分７２Ａの前方への膨らみ度合が電動歯ブラシ１よりも小さくなり、かつ取付軸３２に対応する部分の前側傾斜部分７２Ａの傾斜度合が電動歯ブラシ１よりも大きくなる。
【０１１２】
また、前側傾斜部分７２Ａの傾斜度合の変更に応じて植毛面７１Ａが本体中心線Ｃ１よりも後側に位置するように植毛部分６２が電動歯ブラシ１よりも後側に形成されている。また、植毛部分６２の位置に応じて後側傾斜部分７２Ｂの傾斜度合が電動歯ブラシ１よりも小さくなる。すなわち、第１の比較歯ブラシの後側傾斜部分７２Ｂは、電動歯ブラシ１の後側傾斜部分７２Ｂと比較して、本体中心線Ｃ１に対する傾斜度合がより小さい部分として構成されている。
【０１１３】
電動歯ブラシ１は、上記第１の比較歯ブラシを基準としたとき、取付軸３２に光源２７が設けられることにともない、第１の比較歯ブラシに対して次の変更が加えられたものとみることができる。
【０１１４】
すなわち、取付軸３２内に光源２７を配置するためのスペースを確保するため、取付軸３２の体格を第１の比較歯ブラシよりも大きくしている。また、取付軸３２の体格を大きくしていることにともない、ブラシ柄７０内において取付軸３２を配置するためのスペースを大きくしている。
【０１１５】
このため、第１の比較歯ブラシと比較して、前側傾斜部分７２Ａにおいて取付軸３２に対応する部分を本体中心線Ｃ１からより離れた位置に形成している。また、奥行方向Ｚにおいて取付軸３２に対応する部分の前側傾斜部分７２Ａの前方への膨らみ度合を第１の比較歯ブラシよりも大きくし、かつ取付軸３２に対応する部分の前側傾斜部分７２Ａの傾斜度合を第１の比較歯ブラシよりも小さくしている。
【０１１６】
ここで、電動歯ブラシ１において、第１の比較歯ブラシと同様に植毛面７１Ａが本体中心線Ｃ１よりも後側に位置するように植毛部分６２を形成することもできるが、本実施形態の同歯ブラシ１では上記のとおり植毛面７１Ａが本体中心線Ｃ１よりも前側に位置するように植毛部分６２を形成している。すなわち、奥行方向Ｚにおいて第１の比較歯ブラシの植毛部分６２よりも前側に植毛部分６２を形成している。また、こうした植毛部分６２の形成位置の設定に応じて、第１の比較歯ブラシよりも後側傾斜部分７２Ｂを本体中心線Ｃ１に近い位置に形成している。このため、後側傾斜部分７２Ｂの傾斜度合が第１の比較歯ブラシよりも大きくなる。
【０１１７】
そして、植毛面７１Ａが本体中心線Ｃ１よりも前側に位置するように植毛部分６２の位置を設定していることにより、植毛面７１Ａが本体中心線Ｃ１よりも後側に位置するように植毛部分６２の位置を設定した別の比較歯ブラシ（以下、「第２の比較歯ブラシ」）と比較して、次のような有利な効果が得られる。なお、第２の比較歯ブラシは、植毛面７１Ａの位置が上記のとおり相違する点を除いて電動歯ブラシ１と同じ構成を有する。
【０１１８】
第２の比較歯ブラシにおいては、取付軸３２に対応する部分の前側傾斜部分７２Ａの前方への膨らみ度合が第１の比較歯ブラシよりも大きいため、歯の清掃時に前側傾斜部分７２Ａが歯に接触しやすくなる。
【０１１９】
一方、電動歯ブラシ１においては、取付軸３２に対応する部分の前側傾斜部分７２Ａの前方への膨らみ度合が第２の比較歯ブラシと同じである一方、植毛面７１Ａが第２の比較歯ブラシよりも奥行方向Ｚの前側に形成されているため、すなわち植毛面７１Ａが本体中心線Ｃ１よりも奥行方向Ｚの前側に形成されているため、第２の比較歯ブラシと比較して歯の清掃時に前側傾斜部分７２Ａが歯に接触するおそれが小さくなる。
【０１２０】
なお、第２の比較歯ブラシにおいてブラシ毛６１の長さを長くすることにより、前側傾斜部分７２Ａが歯に接触することを抑制することもできる。ただし、この場合にはブラシ毛６１の長さが予め設定された好ましい長さよりも長くなるため、この点において使用者が違和感を覚えるおそれがある。これに対して、電動歯ブラシ１は上記のとおり植毛面７１Ａの形成位置を第１の比較歯ブラシよりも前側に設定していることにより、前側傾斜部分７２Ａが歯に接触することを抑制する効果が得られる。このため、第２の比較歯ブラシとは異なり、ブラシ毛６１の長さについては好ましい長さを設定することができる。
【０１２１】
（その他の実施形態）
本発明の実施態様は、上記実施形態の内容に限られるものではなく、例えば以下のように変更することもできる。また、以下の変形例は上記実施形態についてのみ適用されるものではなく、異なる変形例同士を互いに組み合わせて実施することもできる。
【０１２２】
・上記実施形態（図２）において、キャップ９０にストラップを取り付けることもできる。この構成の具体的な例としては、以下の（Ａ）〜（Ｄ）が挙げられる。
（Ａ）図６（ａ）に示されるように、キャップ９０の各突起９３に貫通孔９３Ａを形成する。そして、この貫通孔９３Ａにストラップ９８を取り付ける。
（Ｂ）キャップ９０の一方の突起９３だけに貫通孔９３Ａを形成する。そして、この貫通孔９３Ａにストラップ９８を取り付ける。
（Ｃ）図６（ｂ）に示されるように、換気孔９４および換気孔９７にストラップ９８を挿入することにより、キャップ９０にストラップ９８を取り付ける。
（Ｄ）換気孔９４〜９７のうちの少なくとも２つの換気孔にストラップ９８を挿入することにより、キャップ９０にストラップ９８を取り付ける。
【０１２３】
・上記実施形態（図３）では、光源２７として砲弾型の発光ダイオードを用いているが、チップ型の発光ダイオードに変更することもできる。また、光源２７の種類を白熱電球または放電電球に変更することもできる。
【０１２４】
・上記実施形態（図３）では、圧入によりカバー２８を取付軸３２に固定しているが、超音波溶接によりカバー２８を取付軸３２に固定することもできる。
・上記実施形態（図３）では、カバー２８の上面を平面として形成しているが、カバー２８の上面形状はこれに限られない。例えば、高さ方向Ｙの上方に向けて突出する曲面形状に変更することもできる。また、奥行方向Ｚの後方に向かうにつれて高さ方向Ｙの上方に向けて傾斜する傾斜面に変更することもできる。
【０１２５】
・上記実施形態（図１）では、カバー２８に湾曲部分２８Ａを形成しているが、カバー２８から湾曲部分２８Ａを省略し、かつカバー２８の下面を平面として形成することもできる。この構成によれば、光源２７から照射された光がカバー２８を介して幅方向Ｘおよび奥行方向Ｚに広がることが抑制されるため、植毛部分６２を明るくする効果が高められる。
【０１２６】
・上記実施形態（図１）では、カバー２８および透光部材８０の材料としてＡＢＳ樹脂を用いているが、カバー２８および透光部材８０の材料はこれに限られない。例えば、カバー２８および透光部材８０の少なくとも一方の材料として、ポリカーボネートまたはポリプロピレンを用いることもできる。ポリカーボネートを用いた場合、ＡＢＳ樹脂を用いた場合よりもカバーおよび透光部材の透過率が高くなる。また、ポリプロピレンを用いた場合、ＡＢＳ樹脂を用いた場合よりも耐薬品性が高くなる。
【０１２７】
・上記実施形態（図３）において、ブラシ柄７０の開口部分７３および透光部材８０を省略することもできる。
・上記実施形態（図３）では、振動発生装置５０の全体を取付軸３２に収容しているが、振動発生装置５０の一部を取付軸３２よりも下側に設けることもできる。また、振動発生装置５０の全体を取付軸３２よりも下側に設けることもできる。
【０１２８】
・上記実施形態（図３）では、中継基板２４をインナーケース４０の前側の部分に取り付けているが、中継基板２４をインナーケース４０の後側の部分に取り付けることもできる。この場合、第４取付部分４４がインナーケース４０の後側の部分に形成される。
【０１２９】
・上記実施形態（図５）では、第４取付部分４４において下側突出部分４４Ｄよりも上側に保持部分４４Ｂを形成しているが、下側突出部分４４Ｄよりも下側に保持部分４４Ｂを形成することもできる。
【０１３０】
・上記実施形態（図４）では、インナーケース４０を単一部材として構成しているが、複数の部品の組み合わせによりインナーケース４０を構成することもできる。例えば、第１取付部分４１が形成された部品、第２取付部分４２が形成された部品、第３取付部分４３が形成された部品、第４取付部分４４が形成された部品、および第５取付部分４５が形成された部品を互いに組み合わせることによりインナーケース４０を構成することもできる。
【０１３１】
・上記実施形態（図５）において、端子溝４７を省略することもできる。この場合、インナーケース４０の中間部分４９の外面上に光源２７の接続端子２７Ｂが配置される。
・上記実施形態（図４）では、第１配線部分４８Ａおよび第２配線部分４８Ｂとして奥行方向Ｚに対して開口したものを形成しているが、第１配線部分４８Ａおよび第２配線部分４８Ｂに代えて幅方向Ｘに対して開口する第１配線部分および第２配線部分を形成することもできる。
【０１３２】
・上記実施形態（図４）では、隔離手段としての第１配線部分４８Ａおよび第２配線部分４８Ｂをインナーケース４０に形成しているが、隔離手段の具体的構成はこれに限られない。例えば、リード線を引っ掛けることによりインナーケース４０に対してリード線を保持するフックを隔離手段として設けることもできる。
【０１３３】
・上記実施形態（図５）では、光源２７を接続端子２７Ｂにより中継基板２４に直接的に接続し、かつ制御基板２３を基板リード線２９により中継基板２４に接続しているが、これらの部品の接続態様を次のように変更することもできる。
（Ａ）光源２７をリード線により中継基板２４に接続する。また、制御基板２３をコネクタにより中継基板２４に直接的に接続する。
（Ｂ）光源２７をリード線により中継基板２４に接続する。また、制御基板２３をリード線により中継基板２４に接続する。
（Ｃ）光源２７を接続端子２７Ｂにより中継基板２４に直接的に接続する。また、制御基板２３をコネクタにより中継基板２４に直接的に接続する。
【０１３４】
上記（Ａ）および（Ｂ）の構成によれば、中継基板２４が設けられていない構成と比較して、光源２７および制御基板２３を電気的に接続するためのリード線の長さを短くすることができる。このため、本体ケース２２への各部品の組付作業が容易になる。また、上記（Ｃ）の構成によれば、中継基板２４が設けられていない構成と比較して、光源２７および制御基板２３を電気的に接続するためのリード線が不要となる。このため、本体ケース２２への各部品の組付作業が容易になる。
【０１３５】
・上記実施形態（図３）では、機能部として光源２７を設けているが、光源２７に代えて他の部品を機能部として設けることもできる。その一例としては、警告音等の音声を出力する音声出力部が挙げられる。機能部として光源２７とは別のものを設ける場合には、アタッチメント６０から透光部材８０および開口部分７３を省略することができる。
【０１３６】
・上記実施形態（図３）において、次の第３動作モードを追加することもできる。この第３動作モードは、光源２７を点灯し、かつ電動モータ５１を停止する。また、操作部材２６の操作に応じた第３動作モードの選択順序としては、第１動作モードの前、または第１動作モードの後、または第２動作モードの後のいずれかを設定することができる。
【０１３７】
・上記実施形態（図３）に対して、次の第１１動作モードおよび第１２動作モードを追加することもできる。なお、これらの動作モードを追加する変形例をモード追加変形例Ａとする。
【０１３８】
第１１動作モードは、第１動作モードよりも強い振動を歯に付与する。第１２動作モードは、第１動作モードよりも弱い振動を歯に付与する。第１１動作モードおよび第１２動作モードは、第１動作モードと同様に光源２７を点灯する。
【０１３９】
マイコン２３Ｂは、第１１動作モードおよび第１２動作モードを選択しているとき、次のように回転速度制御を行なう。なお、第１動作モードを選択しているときの回転速度制御において、電動モータ５１の回転速度の目標範囲として設定される所定範囲を「中間所定範囲」とする。
【０１４０】
（Ａ）第１１動作モードを選択しているとき、電動モータ５１の駆動電圧をＰＷＭ制御により変更することにより、電動モータ５１の回転速度を中間所定範囲よりも大きい所定範囲内に維持する。
【０１４１】
（Ｂ）第１２動作モードを選択しているとき、電動モータ５１の駆動電圧をＰＷＭ制御により変更することにより、電動モータ５１の回転速度を中間所定範囲よりも小さい所定範囲内に維持する。
【０１４２】
・上記モード追加変形例Ａにおいて、第１動作モード、第１１動作モード、および第１２動作モードのいずれか１つを省略することもできる。
・上記モード追加変形例Ａにおいて、使用者が動作モードを第１動作モードから第１１動作モードまたは第１２動作モードに変更するための別の操作部材を追加することもできる。この場合、マイコン２３Ｂは、操作部材２６の操作に対しては上記実施形態と同様に動作モードの変更、電源のオン、および電源のオフを行なう。そして、第１動作モードが選択されている状態において上記別の操作部材が操作される毎に第１１動作モード、第１２動作モード、および第１動作モードの順に動作モードを変更する。なお、上記別の操作部材の操作に対する動作モードの選択順序は、上記の例に限られるものではなく、予め任意のものを設定することができる。
【０１４３】
・上記実施形態（図３）に対して、次の第２１動作モードおよび第２２動作モードを追加することもできる。なお、これらの動作モードを追加する変形例をモード追加変形例Ｂとする。
【０１４４】
第２１動作モードは、第２動作モードよりも強い振動を歯に付与する。第２２動作モードは、第２動作モードよりも弱い振動を歯に付与する。第２１動作モードおよび第２２動作モードは、第２動作モードと同様に光源２７を消灯する。
【０１４５】
マイコン２３Ｂは、第２１動作モードを選択しているとき、第１１動作モードを選択しているときと同様の態様で回転速度制御を行なう。また、第２２動作モードを選択しているとき、第１２動作モードを選択しているときと同様の態様で回転速度制御を行なう。
【０１４６】
・上記モード追加変形例Ｂにおいて、第２動作モード、第２１動作モード、および第２２動作モードのいずれか１つを省略することもできる。
・上記モード追加変形例Ｂにおいて、使用者が動作モードを第２動作モードから第２１動作モードまたは第２２動作モードに変更するための別の操作部材を追加することもできる。なお、別の操作部材の操作に対する動作モードの選択方法については、上記モード追加変形例Ａに準じたものを採用することができる。
【０１４７】
・上記モード追加変形例Ａと上記モード追加変形例Ｂとを組み合わせて実施することもできる。この場合、上記モード追加変形例Ａの別の操作部材と、上記モード追加変形例Ｂの別の操作部材とを個別に設ける構成、または２つの別の操作部材を共通化する構成を採用することができる。
【０１４８】
・上記実施形態（図３）では、歯ブラシ本体１０に振動発生装置５０を設けているが、歯ブラシ本体１０から振動発生装置５０を省略することもできる。また、この場合には振動発生装置５０を本体ケース２２に取り付けるための構成についても併せて省略することができる。
【０１４９】
要するに、電力の供給を受けて動作する機能部と、この機能部の動作を制御する制御基板とを有する電動歯ブラシであれば、歯に振動を付与する機能を有していなくとも本発明を適用することができる。また、この構成の場合にも上記実施形態に準じた態様で本発明の具体的構成を電動歯ブラシに適用することにより、同実施形態の（１）、（３）〜（１３）、（１５）〜（１９）、（２１）、（２２）、および（２５）の効果に準じた効果が得られる。
【０１５０】
（電動歯ブラシの参考例１）
図７に、電動歯ブラシ１の構成の一部を変更した他の電動歯ブラシを示す。なお、同他の電動歯ブラシにおいて、電動歯ブラシ１と共通する構成要素については、電動歯ブラシ１の構成要素に付された符号と同様の符号を付している。
【０１５１】
この電動歯ブラシは、歯ブラシ本体１０と図１のキャップ９０とを有する。また、以下の点において電動歯ブラシ１と構成が相違している。
（Ａ）取付軸３２の先端部分には、光源２７に代えてステインケアアタッチメント１１０が設けられている。
（Ｂ）取付軸３２の先端軸３２Ａおよびカバー２８が省略されている。
（Ｃ）アタッチメント６０から透光部材８０が省略されている。
（Ｄ）ブラシ柄７０から開口部分７３が省略されている。
（Ｅ）取付軸３２の中間軸３２Ｂには、頂壁３２Ｅが形成されている。
（Ｆ）取付軸３２の頂壁３２Ｅには、ステインケアアタッチメント１１０を取り付けるための取付部分３２Ｆが形成されている。
【０１５２】
ステインケアアタッチメント１１０は、取付軸３２に取り付けること、および取付軸３２から取り外すことができる。また、取付部分３２Ｆに取り付けられる基台１１１と、基台１１１から上方に向けて突出する研磨部分１１２とを有する。
参考例１の電動歯ブラシにおいては、アタッチメント６０が本体ケース２２に取り付けられているとき、ステインケアアタッチメント１１０がアタッチメント６０内の空間に収容される。そして、アタッチメント６０が本体ケース２２から取り外されたとき、ステインケアアタッチメント１１０の使用が可能になる。
【０１５３】
（電動歯ブラシの参考例２）
参考例１の電動歯ブラシにおいて、ステインケアアタッチメント１１０に代えて、歯の清掃に関連する機能を有する別の機能部材を取付軸３２に設けることもできる。同機能部材の例としては、歯茎マッサージアタッチメント、ポイント磨き歯ブラシ、爪磨き用アタッチメント、歯間ブラシ、歯磨剤チューブ、および振動調整用の鐘が挙げられる。
【０１５４】
（課題を解決するための手段に関する付記）
（付記１）
電源を収容する本体部材と、ブラシ毛が植えられた植毛部分を有する清掃部材とを備え、前記本体部材への前記清掃部材の取り付けおよび前記本体部材からの前記清掃部材の取り外しが可能な電動歯ブラシにおいて、
電力の供給を受けて動作する機能部と、この機能部の動作を制御する制御基板と、前記機能部と前記制御基板とを電気的に接続するための中継基板とが前記本体部材に設けられていること
を特徴とする電動歯ブラシ。
（付記２）
付記１に記載の電動歯ブラシにおいて、
振動源としての振動発生装置が前記本体部材に設けられていること
を特徴とする電動歯ブラシ。
（付記３）
付記２に記載の電動歯ブラシにおいて、
前記本体部材に支持部材が設けられていること、
ならびに、前記機能部、前記振動発生装置、および前記中継基板が前記支持部材に取り付けられていること
を特徴とする電動歯ブラシ。
（付記４）
付記１〜３のいずれか一項に記載の電動歯ブラシにおいて、
前記本体部材に支持部材が設けられていること、
ならびに、前記機能部の接続端子を配置するための端子溝が前記支持部材に形成されていること
を特徴とする電動歯ブラシ。
（付記５）
付記１〜４のいずれか一項に記載の電動歯ブラシにおいて、
前記本体部材には、振動源としての振動発生装置が設けられていること、
前記振動発生装置と前記制御基板とが装置リード線により互いに接続されていること、
前記中継基板と前記制御基板とが基板リード線により互いに接続されていること、
前記本体部材の中心線に沿う方向を高さ方向として、この高さ方向と平行した状態で前記中継基板および前記制御基板が設けられていること、
前記中継基板および前記制御基板が互いに平行していること、
前記制御基板の厚さ方向および前記高さ方向に直交する方向を幅方向とし、前記制御基板と前記装置リード線との接続部分を第１接続部分とし、前記制御基板と前記基板リード線との接続部分を第２接続部分とし、前記中継基板と前記基板リード線との接続部分を第３接続部分としたとき、前記第１接続部分と前記第２接続部分とが前記幅方向に並べられていること、
ならびに、前記制御基板のうちの前記第１接続部分に対して前記第２接続部分が形成される側を接続側として、前記中継基板のうちの前記接続側に対応する部分に前記第３接続部分が形成されていること
を特徴とする電動歯ブラシ。
（付記６）
付記１〜５のいずれか一項に記載の電動歯ブラシにおいて、
前記本体部材には、振動源としての振動発生装置が設けられていること、
前記振動発生装置と前記制御基板とが装置リード線により互いに接続されていること、
前記中継基板と前記制御基板とが基板リード線により互いに接続されていること、
ならびに、前記装置リード線と前記基板リード線との間を隔てる隔離手段が前記本体部材に設けられていること
を特徴とする電動歯ブラシ。
（付記７）
付記１〜６のいずれか一項に記載の電動歯ブラシにおいて、
前記機能部として光源が設けられていること
を特徴とする電動歯ブラシ。
【符号の説明】
【０１５５】
１      ：電動歯ブラシ
１０    ：歯ブラシ本体
２０    ：本体装置
２１    ：把持ケース
２２    ：本体ケース（本体部材）
２２Ａ  ：前面
２２Ｂ  ：後面
２２Ｃ  ：把持側シール部材
２２Ｄ  ：本体側シール部材
２３    ：制御基板
２３Ａ  ：スイッチ
２３Ｂ  ：マイコン
２３Ｃ  ：モータ接続部分（第１接続部分）
２３Ｄ  ：基板接続部分（第２接続部分）
２３Ｅ  ：電池接続部分
２４    ：中継基板
２４Ａ  ：光源接続部分
２４Ｂ  ：リード線接続部分（第３接続部分）
２４Ｃ  ：第１貫通孔
２４Ｄ  ：第２貫通孔
２５    ：接続部材
２６    ：操作部材
２７    ：光源（機能部）
２７Ａ  ：光源本体
２７Ｂ  ：接続端子
２８    ：カバー
２８Ａ  ：湾曲部分
２９    ：基板リード線
２９Ａ  ：折曲部分
３０    ：アウターケース
３０Ａ  ：前面
３０Ｂ  ：後面
３１    ：ケース本体
３２    ：取付軸
３２Ａ  ：先端軸
３２Ｂ  ：中間軸
３２Ｃ  ：基端軸
３２Ｄ  ：開口部分
３２Ｅ  ：頂壁
３２Ｆ  ：取付部分
３３    ：装飾部材
３４    ：段差部分
４０    ：インナーケース（支持部材）
４０Ａ  ：前面
４０Ｂ  ：後面
４１    ：第１取付部分
４２    ：第２取付部分
４２Ａ  ：搭載部分
４２Ｂ  ：上側保持部分
４２Ｃ  ：下側保持部分
４３    ：第３取付部分
４４    ：第４取付部分
４４Ａ  ：搭載部分
４４Ｂ  ：保持部分
４４Ｃ  ：上側突出部分
４４Ｄ  ：下側突出部分
４５    ：取付部分
４５    ：第５取付部分
４７    ：端子溝
４８    ：配線部分（隔離手段）
４８Ａ  ：第１配線部分
４８Ｂ  ：第２配線部分
４８Ｃ  ：接続壁
４８Ｄ  ：右壁
４８Ｅ  ：左壁
４８Ｆ  ：案内壁
４８Ｇ  ：上部傾斜面
４８Ｈ  ：中間平面
４８Ｉ  ：下部傾斜面
４９    ：中間部分
５０    ：振動発生装置
５１    ：電動モータ
５２    ：出力軸
５３    ：偏心鐘
５４    ：伝達部材
５５    ：モータリード線
５５Ａ  ：折曲部分
６０    ：アタッチメント（清掃部材）
６１    ：ブラシ毛
６２    ：植毛部分
７０    ：ブラシ柄
７０Ａ  ：先端
７０Ｂ  ：基端
７０Ｃ  ：前面
７０Ｄ  ：後面
７１    ：先端部分
７１Ａ  ：植毛面
７１Ｂ  ：頭背面
７２    ：外壁部分
７２Ａ  ：前側傾斜部分
７２ＡＬ：前下傾斜部分
７２ＡＵ：前上傾斜部分
７２Ｂ  ：後側傾斜部分
７２ＢＬ：後下傾斜部分
７２ＢＵ：後上傾斜部分
７３    ：開口部分
８０    ：透光部材
９０    ：キャップ
９１    ：周壁
９２    ：上壁
９３    ：突起
９３Ａ  ：貫通孔
９４    ：換気孔
９５    ：換気孔
９６    ：換気孔
９７    ：換気孔
９８    ：ストラップ
１００  ：電池（電源）
１１０  ：ステインケアアタッチメント
１１１  ：基台
１１２  ：研磨部分
ＨＰＡ  ：半田部分
ＨＰＢ  ：半田部分
Ｃ１    ：本体中心線
Ｐ      ：前壁長さ
Ｑ      ：後壁長さ
Ｖ      ：前壁長さ
Ｗ      ：後壁長さ
Ｘ      ：幅方向
Ｙ      ：高さ方向
Ｚ      ：奥行方向
ＴＡ    ：第１動作時間
ＴＢ    ：第２動作時間
ＴＡＸ  ：判定時間
ＴＢＸ  ：判定時間
【図１】
0005895155.tif 000002
【図２】
0005895155.tif 000003
【図３】
0005895155.tif 000004
【図４】
0005895155.tif 000005
【図５】
0005895155.tif 000006
【図６】
0005895155.tif 000007
【図７】
0005895155.tif 000008